(57)【要約】【課題】  各種情報処理装置にあって、各装置毎の嗜好情報を共有することが可能とする。【解決手段】  嗜好情報処理システム１は、複数の情報処理装置でのコンテンツに対するユーザ操作に基づいた嗜好情報を各情報処理装置３、４、５及び６に装着される共通のリムーバブルメディア７上で共有する。つまり、嗜好情報処理システム１は、フラッシュメモリなどのリムーバブルメディア７の内部に、共通の嗜好情報データベース９を格納し、さらに共通の嗜好情報制御部８も格納している。【選択図】  図１
2007094738.tif 000002
【特許請求の範囲】
【請求項１】
複数の情報処理装置でのコンテンツに対するユーザ操作に基づいた嗜好情報を、各情報処理装置との間で通信が行える記録装置上で共有する嗜好情報処理システムであって、
上記複数の情報処理装置は、上記コンテンツに対するユーザ操作を管理するユーザ操作管理部と、上記コンテンツの属性情報を管理する属性情報管理部と、上記コンテンツに対するアクションを管理するアクション管理部と、上記ユーザ操作管理部、上記属性情報管理部及び上記アクション管理部を制御し、かつ上記記録装置との通信を行う統括制御部とを有し、
上記記録装置は、上記複数の情報処理装置間で共有される嗜好情報データベースと、嗜好情報を管理・編集する嗜好情報制御部とを内蔵する
ことを特徴とする嗜好情報処理システム。
【請求項２】
上記嗜好情報データベースは、上記各情報処理装置にて特有の嗜好情報用のコンテンツ媒体別データベースフォーマットと、コンテンツ媒体とは無関係にユーザの好みの本質を知るためのベーシックデータベースフォーマットという二つのデータベースフォーマットを用いることを特徴とする請求項１記載の嗜好情報処理システム。
【請求項３】
上記記録装置に内蔵される上記嗜好情報制御部は、上記各情報処理装置の各統括制御部との間で、問い合わせコマンド、回答コマンド、スタディ情報コマンドを用いた通信を行い、スタディ情報コマンドに基いて上記嗜好情報データベースを更新することを特徴とする請求項１記載の嗜好情報処理システム。
【請求項４】
上記各情報処理装置の上記各統括制御部は、上記記録装置の上記嗜好情報制御部との間で、問い合わせコマンド、回答コマンド、スタディ情報コマンドを用いた通信を行い、上記記録装置の上記嗜好情報制御部からの回答コマンドに基づいて上記各アクション管理部の上記コンテンツに対するアクションを制御することを特徴とする請求項１記載の嗜好情報処理システム。
【請求項５】
複数の情報処理装置との間で通信を行い、複数の情報処理装置でのコンテンツに対するユーザ操作に基づいた嗜好情報を共有する記録装置において、
上記複数の情報処理装置間で共有される嗜好情報データベースと、嗜好情報を管理・編集する嗜好情報制御部とを内蔵することを特徴とする記録装置。
【請求項６】
上記嗜好情報データベースは、上記各情報処理装置にて特有の嗜好情報用のコンテンツ媒体別データベースフォーマットと、コンテンツ媒体とは無関係にユーザの好みの本質を知るためのベーシックデータベースフォーマットという二つのデータベースフォーマットを用いることを特徴とする請求項５記載の記録装置。
【請求項７】
上記嗜好情報制御部は、上記各情報処理装置の各統括制御部との間で、問い合わせコマンド、回答コマンド、スタディ情報コマンドを用いた通信を行い、スタディ情報コマンドに基いて上記嗜好情報データベースを更新することを特徴とする請求項５記載の記録装置。
【請求項８】
コンテンツに対するユーザ操作に基づいた嗜好情報を管理・編集する嗜好情報制御部と、上記嗜好情報制御部により制御される嗜好情報データベースとを内蔵する記録装置との間で通信を行う情報処理装置において、
上記コンテンツに対するユーザ操作を管理するユーザ操作管理部と、上記コンテンツの属性情報を管理する属性情報管理部と、上記コンテンツに対するアクションを管理するアクション管理部と、上記ユーザ操作管理部、上記属性情報管理部及び上記アクション管理部を制御し、かつ上記記録装置との通信を行う統括制御部とを有することを特徴とする情報処理装置。
【請求項９】
上記統括制御部は、上記記録装置の上記嗜好情報制御部との間で、問い合わせコマンド、回答コマンド、スタディ情報コマンドを用いた通信を行い、上記記録装置の上記嗜好情報制御部からの回答コマンドに基づいて上記アクション管理部の上記コンテンツに対するアクションを制御することを特徴とする請求項８記載の情報処理装置。
【請求項１０】
複数の情報処理装置でのコンテンツに対するユーザ操作に基づいた嗜好情報を、各情報処理装置との間で通信が行える記録装置上で共有する嗜好情報処理システムにあって実行される通信方法であり、
上記各情報処理装置から上記記録装置に、嗜好値を問い合わせるためのパケットを送る問い合わせパケット送信工程と、
上記パケット送信工程による問い合わせパケットに対する回答となる嗜好値を上記記録装置から該当の情報処理装置に送る回答パケット送信工程と
を備えることを特徴とする通信方法。
【請求項１１】
上記各情報処理装置から上記記録装置に、上記記録装置にて嗜好値を変更するときに使われる情報を送るステップをさらに備えることを特徴とする請求項１０記載の通信方法。
【請求項１２】
上記問い合わせパケット送信工程は、嗜好値を問い合わせたいキーワードを検索対象に記述したパケットを送信することを特徴とする請求項１０記載の通信方法。
【請求項１３】
上記回答パケット送信工程は、嗜好値の問い合わせのあったキーワードに対する、各情報処理装置にて特有の嗜好情報用のコンテンツ媒体別データベースフォーマットと、コンテンツ媒体とは無関係にユーザの好みの本質を知るためのベーシックデータベースフォーマットという二つのデータベースフォーマットからの媒体別嗜好値と、ベーシック嗜好値という二種類の嗜好値を記述したパケットを送信することを特徴とする請求項１０記載の通信方法。
【発明の詳細な説明】
【技術分野】
【０００１】
本発明は、複数の情報処理装置でのコンテンツに対するユーザ操作に基づいた嗜好情報を各情報処理装置との通信が可能な記録装置上で共有する嗜好情報処理システムに関する。また、本発明は、複数の情報処理装置との間で通信が可能であり、複数の情報処理装置でのコンテンツに対するユーザ操作に基づいた嗜好情報を共有する記録装置に関する。さらに、本発明は、コンテンツに対するユーザ操作に基づいた嗜好情報を管理・編集する嗜好情報制御部と、上記嗜好情報制御部により制御される嗜好情報データベースとを内蔵する記録装置と通信が可能な情報処理装置に関する。また、本発明は複数の情報処理装置でのコンテンツに対するユーザ操作に基づいた嗜好情報を、各情報処理装置との間で通信が行える記録装置上で共有する嗜好情報処理システムにあって実行される通信方法に関する。
【背景技術】
【０００２】
従来、アナログ又はディジタル地上波放送、及び衛星放送による放送サービスを行っている放送局は、使用可能な周波数帯域が予め割り当てられており、当該割り当てられた周波数帯域を用いて自局の番組データを送信するようになされている。視聴者宅に設置されている受信機（以下、これをＩＲＤ（Ｉｎｔｅｇｒａｔｅｄ Ｒｅｃｅｉｖｅｒ Ｄｅｃｏｄｅｒ）と呼ぶ）は、視聴者が行う選局操作等のユーザ操作に応じて、各放送局からそれぞれ送られてくる番組データのうち所望の放送局の番組データを選択し、当該選択した放送局の番組データをデコードして外部のモニタに表示する。ＩＲＤが例えばＨＤＤ(Hard Disc Drive)を接続していれば、番組データをＨＤＤに記録する。
【０００３】
ところで上述した放送システムにおいては、各放送局からそれぞれ提供される番組を視聴者に知らせることを目的として、電子番組ガイド情報（以下、これをＥＰＧ（Ｅｌｅｃｔｒｏｎｉｃ Ｐｒｏｇｒａｍ Ｇｕｉｄｅ）データと呼ぶ）と呼ばれる各番組の内容を示すデータを、特定の放送局から定期的に配信している。このＥＰＧデータは、番組タイトル、放送日時、放送チャンネル、番組の説明、出演者などの情報からなり、視聴者が視聴又は記録する番組を決定する際の判断材料となるものである。
【０００４】
この場合、ＩＲＤは、ＥＰＧデータを送信する放送局から定期的に送られてくるＥＰＧデータを受信してメモリに記憶しておき、視聴者の表示操作に応じて、このＥＰＧデータをメモリから読み出して外部のモニタに表示する。これにより視聴者は、モニタに表示されたＥＰＧデータを目視して、視聴する番組を決定することができる。
【０００５】
ところで、ＥＰＧデータは膨大な数の番組に関する情報を含んでいるが、当該ＥＰＧデータを表示するモニタの表示画面は限られていることから、ＩＲＤは膨大な数の番組のうち一部の番組の情報しかモニタの表示画面に表示することができない。従って視聴者は、膨大な数の番組の中から所望の番組を検索するようなスクロール操作を行う必要があり、その分、操作が煩雑になることを避け得ない。
【０００６】
そこでこのような煩雑な検索操作を解消するため、ＥＰＧデータに含まれる膨大な数の番組の中から所望の番組を検索するためのキーワードを入力し、当該入力したキーワードに基づいて番組の検索を実行してその検索結果をモニタの表示画面に表示する方法が考えられている。
【０００７】
しかしながら、この方法では、ユーザがキーボード等を介してキーワードを入力するような操作を行わなければならず、検索にかかる手間を低減する点において未だ不十分であり、またキーワードのみに基づいて番組の検索を実行するため、ユーザの嗜好に合わない番組が検索される場合があった。
【０００８】
そこで、下記特許文献１では、情報を記録するための記録媒体を使用することにより得られる当該記録媒体の使用履歴情報を記憶手段に記憶し、当該使用履歴情報に基づいて複数の情報の中からユーザの嗜好に合致する情報を検索することにより、情報を検索するためのキー情報を入力することなく容易にユーザの嗜好に合致する番組を検索することができ、かくして情報を検索する際の手間を一段と低減し得る情報検索装置を開示した。
【０００９】
また、下記特許文献２には、コンテンツの嗜好に関するユーザの様々な操作に基いて、ユーザの複雑・多様な嗜好に合わせてコンテンツを自動記録するコンテンツの自動記録装置及び方法が開示されている。このコンテンツの自動記録装置は、コンテンツの嗜好に関する複数種類の操作と、これらの操作の対象となったコンテンツについての説明情報とから、これらの操作の種類毎の嗜好値パラメータを用いて、コンテンツの嗜好に関する操作の履歴情報を作成する操作履歴管理手段と、この履歴情報に基づき、コンテンツの嗜好に関する複数の要素毎の係数パラメータを用いて、これらの複数の要素についての嗜好値から成る嗜好情報を作成及び更新する嗜好情報管理手段と、この嗜好情報とコンテンツについての説明情報とからコンテンツに対する嗜好度を計算し、その嗜好度に基づいてコンテンツの記録予約を行うコンテンツ推薦手段とを備え、この記録予約されたコンテンツが記録されるようにする。
【００１０】
さらに従来の技術としては、図１６に示すように、ユーザ操作マネージャ（管理部）３１と、ＥＰＧマネージャ３２と、アクションマネージャ３３と、統括制御部３４と、嗜好情報制御部３５と、嗜好情報データベース３６という機能を有する情報処理装置３が知られている。特に、ＨＤＤを内蔵し、映像情報、オーディオ情報を記録するタイプのＨＤＤ記録装置が広く知られるようになった。このＨＤＤ記録装置３は、テレビジョン受像機に接続され、ＨＤＤ等に録画した映像情報を再生し、テレビジョン受像機に表示することによりユーザに録画番組を視聴させることができる。
【００１１】
ＨＤＤ記録装置３のユーザ操作マネージャ３１は、装置の操作パネル、又はリモートコントロール装置にて行われるユーザ操作を管理し、番組の嗜好に関するユーザ操作の情報を統括制御部３４に渡す。
【００１２】
ＥＰＧマネージャ３２は、特定の放送局から電波により定期的に配信されてくるＥＰＧを電波から取り出し、統括制御部３４に渡す。
【００１３】
統括制御部３４は、ユーザ操作マネージャ３１からのユーザ操作情報とＥＰＧマネージャからのＥＰＧ情報とを用いて、ユーザ操作の対象となったＥＰＧに関する嗜好値に関するメッセージを生成し、嗜好情報制御部３５に渡す。
【００１４】
嗜好情報制御部３５は、統括制御部３４にて生成された嗜好値に関するメッセージに基いて、嗜好情報データベース３６を参照し、例えばＥＰＧ情報に含まれている嗜好要素（タイトルキーワード、キーワード、ジャンル、放送時間帯）についての嗜好値からなる嗜好情報を作成及び更新する。
【００１５】
統括制御部３４は、嗜好情報制御部３５で作成された嗜好情報と、今後放送予定の番組についてのＥＰＧ情報とから、その嗜好度に基いてアクションマネージャに対して自動録画予約、ダウンロード、ショッピング情報検索、位置情報検索などのアクションを行わせる。
【００１６】
アクションマネージャ３３は、統括制御部３４の制御に基いて、例えば内蔵のＨＤＤを用いた自動録画の予約を実行する。つまり、統括制御部３４の制御により自動録画予約を管理する。また、ダウンロード、ショッピング情報検索、位置情報検索などのアクションを行う。
【００１７】
ところで、現在、上記放送システムに接続され、テレビジョン受像機に再生映像を表示するＨＤＤ記録装置の他、インターネットなどのネットワークシステムに接続が可能で外部からコンテンツを取得できる情報処理装置としては、ネットワーク接続タイプのオーディオ記録機器、パーソナルコンピュータ、携帯電話、携帯端末装置（ＰＤＡ）等がある。
【００１８】
ネットワーク接続タイプのオーディオ記録機器は、ミュージック情報をインターネットを介して所定のサーバから、内蔵のＨＤＤや、ＭＤなどの記録媒体にダウンロードすることができる。パーソナルコンピュータは、映画などの映像情報はもちろん、オーディオ情報や、各種の書籍や、ＣＤ、ＤＶＤなどのショッピング情報をインターネットを介して取得し、内蔵のＨＤＤや、ＤＶＤに記録することができる。また、携帯電話やＰＤＡでも、無線ネットワークを介して、映像情報、音楽情報、あるいは所持するユーザの位置情報を取得することができる。
【００１９】
これらの各種情報処理装置にあっても、特許文献１及び特許文献２を適用することにより、前述の図１６に示した機能と同様の機能を実行することは容易である。図１７は、各種情報処理装置（ＨＤＤ記録装置３、オーディオ記録装置４、パーソナルコンピュータ５、携帯電話６）の嗜好情報を用いる機能を示す図である。ＨＤＤ記録装置３は、前述したように、ユーザ操作マネージャ（管理部）３１と、ＥＰＧマネージャ３２と、アクションマネージャとしての予約マネージャ３３と、統括制御部３４と、嗜好情報制御部３５と、嗜好情報データベース３６という機能を有する。オーディオ記録装置４は、ユーザ操作マネージャ４１と、楽曲マネージャ４２と、ダウンロードマネージャ４３と、統括制御部４４と、嗜好情報制御部４５と、嗜好情報データベース４６という機能を有する。パーソナルコンピュータ５は、ユーザ操作マネージャ５１と、Ｗｅｂマネージャ５２と、Ｗｅｂアクションマネージャ５３と、統括制御部５４と、嗜好情報制御部５５と、嗜好情報データベース５６という機能を有する。携帯電話６は、ユーザ操作マネージャ６１と、ＧＰＳマネージャ６２と、ＧＰＳアクションマネージャ６３と、統括制御部６４と、嗜好情報制御部６５と、嗜好情報データベース６６という機能を有する。
【００２０】
【特許文献１】ＷＯ０１／０４３４２９号公報
【特許文献２】特開２００４−７２５０２号公報
【発明の開示】
【発明が解決しようとする課題】
【００２１】
しかし、上記各種情報処理装置にあって、各装置毎の嗜好情報を共有することは困難である。例えば、図１８に示す情報処理装置９０のように、各嗜好情報データベース３６、４６、５６及び６６を共通のリムーバブルメディア（例えばフラッシュメモリ）９１に書き込むことは容易であるが、嗜好情報制御部３５、４５、５５及び６５は各装置３、４、５及び６毎に独自であり、各嗜好情報データベース３６、４６、５６及び６６のフォーマットはそれぞれ異なるので、フラッシュメモリ９１に格納した各嗜好情報データベース３６、４６、５６及び６６を利用することは極めて困難である。
【００２２】
本発明は、上記実情に鑑みてなされたものであり、各種情報処理装置にあって、各装置毎の嗜好情報を共有することが可能な嗜好情報処理システム、記録装置、及び情報処理装置、並びに通信方法の提供を目的とする。
【課題を解決するための手段】
【００２３】
本発明に係る嗜好情報処理システムは、上記課題を解決するために、複数の情報処理装置がコンテンツに対するユーザ操作を管理するユーザ操作管理部と、コンテンツの属性情報を管理する属性情報管理部と、コンテンツに対するアクションを管理するアクション管理部と、これら各管理部を制御し、かつ記録装置との通信を行う統括制御部とを有する。また、記録装置が複数の情報処理装置間で共有される嗜好情報データベースと、嗜好情報を管理・編集する嗜好情報制御部とを内蔵する。
【００２４】
記録装置は、嗜好情報データベースと、嗜好情報を管理・編集する嗜好情報制御部とを内蔵しており、この記録装置は各種情報処理装置との通信が行えるので、各情報処理装置内にて統括制御部が上記嗜好情報制御部と通信を行い、嗜好情報に基づいたアクションを管理できる。
【００２５】
本発明に係る記録装置は、上記課題を解決するために、複数の情報処理装置との間で通信が行え、複数の情報処理装置でのコンテンツに対するユーザ操作に基づいた嗜好情報を共有する記録装置において、複数の情報処理装置間で共有される嗜好情報データベースと、嗜好情報を管理・編集する嗜好情報制御部とを内蔵する。
【００２６】
本発明に係る情報処理装置は、上記課題を解決するために、コンテンツに対するユーザ操作に基づいた嗜好情報を管理・編集する嗜好情報制御部と、上記嗜好情報制御部により制御される嗜好情報データベースとを内蔵する記録装置と通信が行える情報処理装置において、コンテンツに対するユーザ操作を管理するユーザ操作管理部と、コンテンツの属性情報を管理する属性情報管理部と、コンテンツに対するアクションを管理するアクション管理部と、ユーザ操作管理部、属性情報管理部及びアクション管理部を制御し、かつ記録装置との通信を行う統括制御部とを有する。
【００２７】
記録装置は、嗜好情報データベースと、嗜好情報を管理・編集する嗜好情報制御部とを内蔵しており、この記録装置を各種情報処理装置が装着するので、各情報処理装置内にて統括制御部が上記嗜好情報制御部と通信を行い、嗜好情報に基づいたアクションを管理できる。
【発明の効果】
【００２８】
本発明によれば、各種情報処理装置にあって、各装置毎の嗜好情報を共有することが可能となる。すなわち、記録装置を用いて、複数の情報処理装置間で嗜好情報を共有することができる。これによって、一つの情報処理装置では、知りえなかった情報（ユーザの嗜好情報）を知ることができ、ユーザにとって好ましいコンテンツを勧めることができる。
【００２９】
単一の情報処理装置で、記録装置を使う場合でも、情報処理装置は嗜好情報制御部を実装するコストを省くことができるというメリットがある。
【００３０】
また、ユーザは自分の好きなキーワードをいくつも装置に何度も入力する手間を省くことができる。また、ユーザの嗜好情報すべてが情報処理装置に対して流出するリスクを抑えることができる。
【発明を実施するための最良の形態】
【００３１】
以下、本発明を実施するための最良の形態について図面を参照しながら説明する。
【００３２】
図１は、本発明の嗜好情報処理システムの実施の形態である。この嗜好情報処理システム１は、地上波又は衛星のテレビジョン放送ネットワークに接続され、スピーカを備えた例えば液晶表示パネルからなるモニタ装置２に再生映像を表示するＨＤＤ記録装置３と、インターネットなどのネットワーク接続タイプのオーディオ記録装置４、同じくネットワーク接続ができるパーソナルコンピュータ５、携帯電話６、携帯端末装置（ＰＤＡ）等からなる。これらＨＤＤ記録装置３、オーディオ記録装置４、パーソナルコンピュータ５、携帯電話６等は、本発明に係る情報処理装置としてのコンテンツ記録装置の具体例である。
【００３３】
この嗜好情報処理システム１は、複数の情報処理装置でのコンテンツに対するユーザ操作に基づいた嗜好情報を各情報処理装置に装着される共通のリムーバブルメディア上で共有する。つまり、嗜好情報処理システム１の特徴は、従来の技術から考えられるシステムとして図１６に示した構成と異なり、後述するようにフラッシュメモリなどのリムーバブルメディア７の内部に、共通の嗜好情報データベース９を格納し、さらに共通の嗜好情報制御部８も格納していることである。
【００３４】
複数種類の情報処理装置３、４、５及び６は、機能的に、ユーザ操作管理部（マネージャ）３１、４１、５１及び６１と、属性情報マネージャ３２、４２、５２及び６２と、アクションマネージャ３３、４３、５３及び６３とを有し、統括制御部３４、４４、５４及び６４により各マネージャを制御し、かつリムーバブルメディア７との通信を制御する。
【００３５】
リムーバブルメディア７は、情報処理装置３、４、５及び６間で共有される嗜好情報データベース９と、嗜好情報の管理・編集機能部である嗜好情報制御部８とを内蔵する。
【００３６】
リムーバブルメディア７に内蔵されている嗜好情報データベース９は、各情報処理装置３、４、５及び６に、特有の嗜好情報用のコンテンツ媒体別データベースと、コンテンツ媒体とは無関係にユーザの好みの本質を知るためのベーシックデータベースという二つのデータベース機能を、コンテンツ媒体別データベースフォーマット及びベーシックデータベースフォーマットにしたがうことにより有する。これらデータベースについては後述する。
【００３７】
また、リムーバブルメディア７に内蔵されている嗜好情報制御部（管理・編集機能部）８は、上記各情報処理装置の各統括制御部との間で、問い合わせ（Inquiry）コマンド、回答（Answer)コマンド、スタディ情報（Study Info）コマンドを用いた通信を行い、スタディ情報コマンドに基いて上記嗜好情報データベース９を更新する。
【００３８】
ところで、本実施の形態の嗜好情報処理システム１に至るまでの技術的な検討としては、図２に示す嗜好情報処理システム７０が考えられた。この図２に示す嗜好情報処理システム７０は、フラッシュメモリのようなリムーバブルメディア７１内にデータベースのフォーマットを共通化した嗜好情報データベース７２を格納し、各装置毎の嗜好情報制御部３５、４５、５５及び６５によって制御するものである。
【００３９】
しかし、図２に示した嗜好情報処理システム７０は、データベースのフォーマットを共通化してはいるが、嗜好情報制御部３５、４５、５５及び６５は各情報処理装置３、４、５及び６毎に異なる。いずれかの装置がデータベースを共通のフォーマットに違反して書き換えてしまうと、他の装置の嗜好情報制御部ではデータベースにアクセスできなくなってしまう。
【００４０】
このため、実施の形態の嗜好情報処理システム１は、図１に示すように、フラッシュメモリなどのリムーバブルメディア７の内部に、共通の嗜好情報データベース９を格納し、さらに共通の嗜好情報制御部８も格納している。
【００４１】
図３は、上記嗜好情報処理システム１を構成する、１台の情報処理装置（例えばＨＤＤ記録装置３）の内部構成を機能的に示した図である。ハードウェアの構成を想定したときに、ＣＰＵが処理する部分１０と、共通のリムーバブルメディア７内での処理とを分けて示している。
【００４２】
ユーザ操作マネージャ３１は、情報処理装置の操作パネル、又はリモートコントロール装置にて行われるユーザ操作を管理し、番組の嗜好に関するユーザ操作の情報を統括制御部３４に渡す。
【００４３】
ＥＰＧマネージャ３２は、上述した属性情報マネージャの具体例であり、特定の放送局から電波により定期的に配信されてくるＥＰＧを電波から取り出し、統括制御部３４に渡す。他の情報処理装置４、５及び６にあって、属性情報マネージャの具体例となるのは、楽曲マネージャ４２、Ｗｅｂマネージャ５２及びＧＰＳマネージャ６２である。楽曲マネージャ４２は、オーディオ記録装置４がインターネットを介して所定のサーバから得る楽曲情報などを管理する。Ｗｅｂマネージャ５２は、パーソナルコンピュータ５がインターネットを介して所定のサーバから得るショッピングに関するＷｅｂ情報を管理する。ＧＰＳマネージャ６２は、携帯電話がＧＰＳを介して得る位置情報を管理する。
【００４４】
統括制御部３４は、ユーザ操作マネージャ３１からのユーザ操作情報とＥＰＧマネージャ３２からのＥＰＧ情報とを用いて、ユーザ操作の対象となったＥＰＧに関する嗜好値に関するメッセージを生成し、嗜好情報制御部８に渡す。
【００４５】
嗜好情報制御部８は、統括制御部３４にて生成された嗜好値に関するメッセージに基いて、二つのデータベース機能を有する嗜好情報データベース９を参照し、例えばＥＰＧ情報に含まれている嗜好要素（タイトルキーワード、キーワード、ジャンル、放送時間帯）についての嗜好値からなる二種類の嗜好情報を作成及び更新する。
【００４６】
統括制御部３４は、嗜好情報制御部８で作成された嗜好情報と、今後放送予定の番組についてのＥＰＧ情報とから、今後放送予定の番組について、その嗜好度に基いてアクションマネージャに対して自動録画予約というアクションを行わせる。他の、情報処理装置４、５及び６であれば、音楽ダウンロード、ショッピング情報検索、位置情報検索などのアクションを行わせる。
【００４７】
アクションマネージャ３３は、統括制御部３４の制御に基いて、例えば内蔵のＨＤＤを用いた自動録画の予約を実行する。つまり、統括制御部３４の制御により自動録画予約を管理する。よって、図３などでは予約マネージャ３３と記している。また、他の情報処理装置４、５及び６にあって、アクションマネージャ４３,５３及び６３は、ダウンロードマネージャ４３、Ｗｅｂアクションマネージャ５３、ＧＰＳアクションマネージャ６３と記す。ダウンロードマネージャ４３は、音楽データをインターネットを介して所定のサーバからダウンロードするときの管理部である。Ｗｅｂアクションマネージャ５３は、ショッピング情報などをインターネットを介して所定のサーバからダウンロードするときの管理部である。また、ＧＰＳアクションマネージャ６３は、ＧＰＳによる位置情報をＧＰＳから得るための位置情報検索などのアクションを管理部である。
【００４８】
嗜好情報データベース９は、フラッシュメモリのようなリムーバブルメディア７に、上述したとおり、共通の嗜好情報データベースとして、共通の嗜好情報制御部８とともに格納されている。
【００４９】
嗜好情報データベース９に格納される嗜好情報は所定のデータベースフォーマットにしたがっている。このデータベースのフォーマットについては後述する。
【００５０】
嗜好情報制御部８と統括制御部３４との間の嗜好情報のためのメッセージパケットはフォーマットが決まっている。このメッセージパケットについても後述する。
【００５１】
また、嗜好情報制御部８が作成して統括制御部３４に勧める（推薦する）嗜好情報の処理についても後述する。
【００５２】
先ず、図４を参照してデータベースのフォーマットについて説明する。この嗜好情報処理システム１では、各情報処理装置にて特有の嗜好情報用のコンテンツ媒体別データベースフォーマット９ａと、コンテンツ媒体とは無関係にユーザの好みの本質を知るためのベーシックデータベースフォーマット９ｂという二つのデータベースフォーマットを用いている。
【００５３】
媒体別データベースフォーマット９ａは、装置別、機器別、あるいはコンテンツ媒体別データベースのためのフォーマットであり、ある機器特有の嗜好情報を扱う。「ＴＶのこの番組」といったように、コンテンツ名がはっきりしているものはこの媒体別データベースフォーマット９ａで扱われる。
【００５４】
ベーシックデータベースフォーマット９ｂは、コンテンツ供給媒体とは無関係にユーザの好みの本質を知るためのフォーマットである。
【００５５】
ベーシックデータベースフォーマット９ｂにより嗜好情報を記録するからこそ、装置を超えてユーザの好みの本質を追求できる。しかし、「このＴＶドラマは毎週録画したい」というように、コンテンツの名前を記録しておきたい場合もある。そのために、媒体別データベースフォーマット９ａにしたがった媒体別嗜好情報の記録も行う。この二つのデータベースフォーマットを用いることによって、嗜好情報制御部８は、幅広く、かつポイントを絞って、コンテンツを推薦できるようになる。
【００５６】
図５は、媒体別データベースフォーマットにしたがった媒体別嗜好情報のデータ構造を示す図である。ＸＭＬでキーワードと嗜好値を記録する。例えば、ＴＶ放送システムに適用される。ユーザプロファイル<user_profile>という項目名の括りのなかで、タイトルキーワードリスト<title_keyword_list>、キーワードリスト<keyword_list>、ジャンルリスト<genre_list>、放送時間帯リスト<time_zone_list>が記述される。
【００５７】
タイトルキーワードリスト<title_keyword_list>には、タイトルキーワードネームとして「プロ野球」が嗜好値“１２”で<title_keyword name=“プロ野球”>１２</title_keyword>のように記述されている。また、「クイズ○×」が嗜好値“２０”で<title_keyword name=“クイズ○×”>２０</title_keyword>のように記述されている。
【００５８】
キーワードリスト<keyword_list>には、キーワードネームとして「朝の○×隊」が嗜好値“３０”で<keyword name=“朝の○×隊”>３０</keyword>のように記述されている。また、「林△○子」が嗜好値“２０”で<keyword name=“林△○子”>２０</keyword>のように記述されている。また、「野球」が嗜好値“１０”で<keyword name=“野球”>１０</keyword>のように記述されている。また、「深夜ドラマ劇場」が嗜好値“２５”で<keyword name=“深夜ドラマ劇場”>２５</keyword>のように記述されている。
【００５９】
ジャンルリスト<genre_list>には、ジャンルネームとして「映画」が嗜好値“２３”で<genre name=“映画”>２３</genre>のように記述されている。また、「スポーツ」が嗜好値“−１０”で<genre name=“スポーツ”>−１０</genre>のように記述されている。
【００６０】
放送時間帯リスト<time_zone_list>には、「朝」が嗜好値“５０”で<time_zone name=“morning”>１０<time_zone>のように記述されている。また、「午後」が嗜好値“２０”で<time_zone name=“afternoon”>２０<time zone>のように記述されている。また、「夜」が嗜好値“−１０”で<time_zone name=“night”>−１０<time_zone>のように記述されている。
【００６１】
嗜好情報制御部８は、統括制御部３４、４４、５４及び６４からの問い合わせに対して、ユーザにより操作選択されるＥＰＧ情報に基いて、媒体別データベース９ａを参照し、各リストの嗜好値を加算することにより、統括制御部３４、４４、５４及び６４からの問い合わせに対して嗜好値を作成する。
【００６２】
ベーシックデータベース９ｂは、前述したように、コンテンツ供給媒体とは無関係にユーザの好みの本質を知るためのフォーマットである。最も単純な実現方法としては、キーワードを記録するだけである。媒体別データベース９ａと同じように、ＸＭＬでキーワードと嗜好値を記録する。
【００６３】
次に、嗜好情報制御部８と統括制御部３４,４４,５４及び６４との間で送受信される嗜好情報のためのメッセージパケットのフォーマットについて説明する。
【００６４】
図６には情報処理装置（コンテンツ記録装置）３,４,５及び６とリムーバブルメディア７との間に流れる３種類のデータパケットについて示す。リムーバブルメディア７は、前述した二種類のデータベースフォーマット（９ａ、９ｂ）による嗜好情報データベース９と、嗜好情報制御部８を備えている。単にメディア内に嗜好情報データを置くのではなく、メディア内で、嗜好情報の整理などのプロセッシング（処理）まで行う。また、これらデータパケットは、ベーシックデータベース９ｂでもまた媒体別データベース９ａでも扱われる。
【００６５】
情報処理装置３,４,５及び６からリムーバブルメディア７には、統括制御部３４,４４,５４及び６４から嗜好情報制御部８を介して、インクワイリInquiry（問い合わせ）パケットが送られる。インクワイリパケットは、情報処理装置にて嗜好値を知りたいキーワード（ＴＶ番組名など）を送るときのデータパケットである。
【００６６】
リムーバブルメディア７から情報処理装置３,４,５及び６には、嗜好情報制御部８から統括制御部３４、４４、５４及び６４を介して、アンサーAnswer（回答）パケットが送られる。アンサーは、インクワイリに対する回答であり、媒体別とベーシックという２種類の嗜好値が送られる。
【００６７】
情報処理装置３,４,５及び６からリムーバブルメディア７には、統括制御部３４,４４,５４及び６４から嗜好情報制御部８を介して、スタディインフォメーションStudy Info（ユーザの操作情報）パケットが送られる。このスタディインフォメーションは嗜好情報制御部８にて、嗜好値データベースの値を変更する材料とされる。
【００６８】
図７はメッセージプロトコルのうちの、問い合わせ（インクワイリ）パケットのフォーマット図である。コマンドタイプ(Command Type)には、Inquiryと記述し、パラメータ（Parameter）には検索対象となる嗜好値を問い合わせたいキーワードを記述する。例えばTV番組の名前とか、出演者とか、内容である。
【００６９】
図８はメッセージプロトコルのうちの、回答（Answer）パケットのフォーマット図である。コマンドタイプ(Command Type)には、Answerと記述し、パラメータ（Parameter）（１）には検索対象となる嗜好値を問い合わせのあったキーワードを記述する。例えばTV番組の名前とか、出演者とか、内容である。パラメータ（２）には結果である、媒体別嗜好値とベーシック嗜好値という２種類の嗜好値を記述する。
【００７０】
図９はメッセージプロトコルのうちの、スタディインフォ（Study info）パケットのフォーマット図である。コマンドタイプ(Command Type)には、Studyと記述する。パラメータ（１）にはフォーマットで選択肢を規定した媒体名を記述する。例えば、TV,本、音楽、Web,場所などである。パラメータ（２）にはどんなコンテンツかを自由に記述する。例えば、「銀河の平和」、「ドラヤキくん」というタイトルキーワードであったり、「○△スミス」という出演者名であったり、「コンサートプロモス」というイベント名であったり、「表参道」という場所である。パラメータ（３）にはどうしたかを記述する。このどうしたかは、フォーマットで選択肢が規定されている。例えば、「ＤＶＤに記録した」、「買った」、「消去した」、「検索した」、「滞在」が選択選択肢として規定されている。パラメータ（４）には詳細を記述する。この詳細もフォーマットで選択肢が規定されている。記述することがなければ、「なし」を選択し、あるいは滞在時間として「３時間」を選択してもよい。
【００７１】
次に、嗜好情報制御部にて行われる嗜好値の作成処理について説明する。この処理によって作成した嗜好値を統括制御部を介して情報処理装置に送ることにより、嗜好情報制御部は、以下の役割を果たす。
【００７２】
第１の役割は、情報処理装置からの問い合わせ（Inquiry）に対して、嗜好値を回答として返す（Answerパケットの送出）である。第２の役割は情報処理装置から送られてきたスタディインフォメーションを解釈し、媒体別データベースフォーマット及びベーシックデータベースフォーマットによる嗜好値を変更することによって嗜好情報データベースを再構築する。
【００７３】
第１の役割として挙げた情報処理装置からの問い合わせ（Inquiry）に対する嗜好値の回答について説明する。回答を返す嗜好値は、前述したとおり、媒体別嗜好値及びベーシック嗜好値である。
【００７４】
媒体別嗜好値の算出は下記の（１）式にて行う。
媒体別嗜好値＝Σ（ヒットしたタイトルキーワードの嗜好値）
＋Σ（ヒットしたキーワードの嗜好値）
＋ジャンル嗜好値
＋時間帯嗜好値    ・・・（１）
ベーシック嗜好値の算出は下記の（２）式にて行う。
ベーシック嗜好値＝Σ（ヒットしたタイトルキーワードの嗜好値）    ・・・（２）
第２の役割であるスタディインフォメーションの解釈とデータベースの再構築について説明する。図１０は媒体別嗜好値の変更方法を説明するための図である。情報処理装置３，４、５及び６から嗜好情報制御部８に図１０に示すスタディインフォメーションパケットが送られてきた場合には、媒体別データベースフォーマットの媒体別データベース９ａのＴＶ媒体のリストの中に、「王達のダイエット」があれば、＋１０ポイント、なければ、新たにリストに加えて、初期ポイントとして１０ポイントを設定する。
【００７５】
図１１はベーシック嗜好値の変更方法を説明するための図である。情報処理装置３，４、５及び６から嗜好情報制御部８に図１１に示すスタディインフォメーションパケットが送られてきた場合には、「○○丸男、△△角子、□□箱四、××駄目香、○△丸三、花火情報、京都旅行、自然満喫、美容情報」それぞれのキーワードに対して、＋１０ポイント加算する。リストになければ追加する。
【００７６】
以上のようにして媒体別データベースフォーマットの媒体別嗜好値、ベーシックデータベースのベーシック嗜好値を変更し、各データベースを再構築する。
【００７７】
上記図１、図３及び図４には、各情報処理装置３、４，５及び６の機能的な構成を示してきた。以下では、例えばＨＤＤ記録装置３をあげて、ハードウェア構成について説明する。図１２は、ＨＤＤ記録装置３のハードウェア構成を示すブロック図である。このＨＤＤ記録装置３では、チューナ３１１，復調器３１２，デスクランブラ３１３，多重分離器３１４が順に接続されるとともに、多重分離器３１４に対して映像デコーダ３１５，映像信号処理回路３１７と音声デコーダ３１６，Ｄ／Ａ変換器３１８とがそれぞれ順に接続されている。
【００７８】
また、チューナ３１１〜Ｄ／Ａ変換器３１８，ＣＰＵ１０，ＲＯＭ３２０，メインメモリ（ＲＡＭ）３２１，リムーバブルメディア７，リモートコントローラ用のインターフェース３２３，ＨＤＤ（ハードディスクドライブ）用のインターフェース３２４，インターネット接続用の通信インターフェース３２５が、互いにシステムバス３２６で結ばれている。インターフェース３２４には、テレビ番組を録画するためのＨＤＤ（ハードディスクドライブ）３２７が接続されている。
【００７９】
このＨＤＤ記録装置３に付属したリモートコントローラ（以下リモコンと呼ぶ）３２８には、電源釦や、選局釦や、録画予約釦や、録画した番組の消去プロテクト釦や、録画予約キャンセル釦や、再生釦や、ＥＰＧ画面上で選択を行うための方向キーや決定キーや、キーワード登録釦等が設けられている。
【００８０】
テレビ番組の視聴時には、ＨＤＤ記録装置３に入力したデジタル放送信号は、リモコン３２８の選局操作に基づいてチューナ３１１で周波数帯を選択された後、復調器３１２で復調され、デスクランブラ３１３でスクランブルを解かれた後、多重分離器３１４で、複数チャンネル分の番組の映像・音声データのパケットやＥＰＧ情報のパケットに分離される。
【００８１】
この複数チャンネル分のテレビ番組の映像・音声のパケットのうち、リモコン３２８の選局操作に基づいて抽出した１チャンネル分のパケットの映像，音声データが、それぞれ映像デコーダ３１５，音声デコーダ３１６によりＭＰＥＧ−２Ｖｉｄｅｏ，ＭＰＥＧ−２Ａｕｄｉｏで復号される。また、ＥＰＧ情報のパケットはＣＰＵ１０に送られる。
【００８２】
そして、映像デコーダ３１５で復号された映像信号や、ＥＰＧ情報を用いてＣＰＵ１０で作成された電子番組ガイド表示用の映像信号が、映像信号処理回路３１７でＮＴＳＣ方式への変換やミキシング等を施され、映像出力端子３２９から出力して表示装置２に送られる。
【００８３】
また、音声デコーダ３１６で復号された音声信号が、Ｄ／Ａ変換器３１８でアナログ変換され、音声出力端子３０から出力して表示装置２に送られる。
【００８４】
ＣＰＵ１０は、ＲＯＭ３２０に格納されたプログラムやデータに基づき、メインメモリ３２１をワーキングメモリとして用いてこのＨＤＤ記録装置３全体を制御する。
【００８５】
ＣＰＵ１０が行う処理には、通常のチューナ内蔵型ビデオデッキにおけるのと同じ処理（選局処理，録画予約に基づく録画処理等）や、キーワード登録処理，登録されたキーワードに基づく番組検索処理等の他に、前述したような番組の自動録画予約処理（予約マネージャ３３）がある。また、ＥＰＧマネージャ３２、ユーザ操作マネージャ３１がある。すなわち、ＣＰＵ１０は、図３にて示したように、ユーザ操作マネージャ３１、ＥＰＧマネージャ３２及び予約マネージャ３３として機能する。また、ＣＰＵ１０は、統括制御部３４としても機能する。
【００８６】
リムーバブルメディア内では、嗜好情報制御部８、嗜好情報データベース９が機能している。
【００８７】
オーディオ記録装置４、パーソナルコンピュータ５、携帯電話６等の他の情報処理装置のハードウェア構成については詳細な説明を省略するが、図１２に示した構成中の、ＣＰＵ１０、ＲＯＭ３２０、メインメモリ３２１、リムーバブルメディア７、ＨＤＤ３２７、Ｉ／Ｆ３２４などを有する構成である。よって、図１、図３などに示して説明したユーザ操作マネージャ、属性情報マネージャ、アクションマネージャ、統括制御部の機能をＣＰＵ１０で実行し、嗜好情報制御部８、嗜好情報データベース９の機能をリムーバブルメディア７が実行するのは、ＨＤＤ記録装置３の場合と同様である。
【００８８】
図１３は、リムーバブルメディアの具体例となる半導体メモリの構成図である。この半導体メモリは、図１３に示すように、電源端子４０１と、双方向データ信号線Ｉ／Ｏの入出力端子４０２と、バスステートの入力端子４０３と、転送クロック入力端子４０４と、挿抜検出用の検出端子４０５と、クロック入力端子４０６と、リセット入力端子４０７と、接地端子４０８が設けられる。
【００８９】
電源端子４０１は、作動電源Ｖccを外部から供給するためのものである。作動電源Ｖccの電圧は５Ｖ〜３Ｖである。
【００９０】
入出力端子４０２は、双方向データ信号線Ｉ／Ｏにより実際にデータの入出力を行なうためのデータ入／出力端子である。双方向データ信号線Ｉ／Ｏには、ＳＩＭの双方向データ信号線と同様である。
【００９１】
バスステートの入力端子４０３には、バスステートＢＳが供給される。バスステートＢＳは、双方向データ信号線上でパケット通信でデータを転送する際、データに対するステータスを示している。例えば、データアクセスを行う前のＴＰＣやデータそのものにより、そのステートを変化させることにより、メモリの処理が実行される。
【００９２】
なお、データの入出力には、バスステートＢＳを使用しない非同期モードも可能である。この方式は、ＳＩＭで使用されているＩＳＯ７８１６の半二重非同期通信プロトコルである。
【００９３】
転送クロック入力入力端子４０４には、転送用のシリアルクロックＳＣＬＫが供給される。この転送クロックＳＣＬＫは、パケット通信の状態で、バスステートＢＳによりクロック発生が制御される。半二重非同期通信プロトコルでは、転送クロックＳＣＬＫは使用されない。
【００９４】
検出端子４０５は、外部装置がスマートスティックの着脱状態を検出するために使用される。スマートスティック内部では、この検出端子４０５は接地されており、外部装置によりプルアップ抵抗を介して電源に接続されている。したがって、検出端子３０５は、メモリスティック装着状態では「Ｌ」レベルになり、非装着時には「Ｈ」レベルになる。
【００９５】
クロック入力入力端子４０６には、作動クロックＣＬＫが供給される。この作動クロックは、ＣＰＵ４０６を作動させるために、ＣＰＵ４１６に供給される。
【００９６】
リセット入力端子４０７には、リセット信号ＲＳＴが供給される。このリセット信号ＲＳＴにより、内蔵されているＣＰＵ４１６が初期化されると共に、シリアル／パラレル変換器４０９や、制御用のレジスタ４１０、スクランブラ４１１ａ等が初期化される。接地端子４０８は、グランドＶssに接続されている。
【００９７】
シリアル／パラレル変換器４０９は、外部装置とのデータの交換を行なえるように、シリアルデータとパラレルデータとの変換を行なっている。外部装置との間では、双方向データ通信線Ｉ／Ｏを介して、シリアルデータで転送が行なわれ、内部では、８ビットのパラレルデータで処理が行われる。シリアル／パラレル変換器４０９は、シリアルデータと、８ビットのパラレルデータとの変換処理を行なっている。
【００９８】
レジスタ４１０は、ステータスレジスタとコントロルレジスタからなり、ＣＰＵ４１６がシリアル／パラメータ変換器４０９の監視と制御を行なうために用いられる。
【００９９】
スクランブラ４１１ａは、データを暗号化して記憶させることができるようにするものである。暗号化してデータを記憶させるのは、記憶されているデータの保護を図るためである。例えば、何かの方法でフラッシュメモリ４１５の部分だけを取り外すことができたとすると、悪意のある試みとして、何人かにより、フラッシュメモリ４１５の部分だけが取り出され、フラッシュメモリ４１５の内容が読み取られ、そこに書かれているコンテンツや個人情報が盗まれる危険性がある。フラッシュメモリ４１５にデータを記憶させる際に、データを暗号化しておけば、たとえフラッシュメモリ４１５の部分だけが取り出され、その内容が読み取られたとしても、コンテンツや個人情報については保護できる。
【０１００】
エラー検出コード発生部４１１ｂは、例えば、ＣＲＣ（Cyclic Redundancy Check ）コード等のエラー検出コードを転送するデータ或いは転送されてくるデータに付加して、転送するデータ或いは転送されてくるデータの誤り検出を行なうものである。このようなエラー検出を行うことにより、データの信頼性が確保されている。
【０１０１】
ページバッファ４１２は、予め決められたデータ容量を一時的に記憶し、シリアル／パラメータ変換器４０９とフラッシュメモリ４１５間でデータ交換を行う際、一時的にデータを記憶するのに用いられる。
【０１０２】
ＲＡＭ４１３は、ＣＰＵ４１６が外部装置から与えられた命令を処理する際に、一時的に発生する演算結果、パラメータ等を記憶するために用いられる。
【０１０３】
ＲＯＭ４１４は、主に、ＣＰＵ４１６が処理すべきプログラムが記憶されている。処理命令は、例えば、携帯端末を製造したり、利用するのに必要な公開された命令体系と、セキュリティ、例えばスクランブルキー発生部や、発行者又は管理者以外は利用できないデータなどを操作するための非公開の管理用命令体系や暗証番号からなる。このように、非公開の管理用命令体系を用意することで、セキュリティ機能がさらに高められている。
【０１０４】
また、ＲＯＭ４１４には、外部から見えるファイルと、管理用及び暗号に関係した処理にのみ使用される管理用命令体系以外ではアクセスできない隠されたファイル等を操作するためのプログラムが記憶されている。
【０１０５】
フラッシュメモリ４１５は、例えばＮＡＮＤ型のメモリセルからなる不揮発性のメモリカードを用いたものである。フラッシュメモリ４１５には、見えるファイルも管理用の外部から見えないファイルも、ディレクトリデスクリプションやファイルデスクリプションに従って記憶される。
【０１０６】
ＣＰＵ４１６は、外部装置から転送された命令を、読み出し専用メモリ４１４から必要なプログラムを随時読み出して処理を行う。
【０１０７】
このＣＰＵ４１６は、図１、図３に示した嗜好情報制御部８として機能する。フラッシュメモリ４１５は、嗜好情報データベース９として機能する。
【０１０８】
以上に説明したように、嗜好情報処理システム１によれば、各種情報処理装置にあって、各装置毎の嗜好情報を共有することが可能となる。すなわち、リムーバブルメディアを用いて、複数の情報処理装置間で嗜好情報を共有することができる。これによって、一つの情報処理装置では、知りえなかった情報（ユーザの嗜好情報）を知ることができ、それによってよりユーザにとって好ましいコンテンツを勧めることができる。
【０１０９】
単一の情報処理装置で、リムーバブルメディアを使う場合でも、情報処理装置は嗜好情報制御部を実装するコストを省くことができるというメリットがある。
【０１１０】
また、ユーザは自分の好きなキーワードをいくつも装置に何度も入力する手間を省くことができる。また、ユーザの嗜好情報すべてが情報処理装置に対して流出するリスクを抑えることができる。
【０１１１】
ところで、最近では、上記リムーバブルメディアとして、メモリカードやＵＳＢメモリのほか、携帯電話もその機能を有している場合がある。携帯電話であり、かつＨＤＤを内蔵することにより、ＵＳＢケーブルによって接続された情報処理装置から見ればリムーバブルメディアとして使えるためである。また、ＨＤＤ内蔵又はフラッシュメモリ内蔵の音楽プレーヤをＵＳＢケーブルで接続した情報処理装置から見れば、やはりリムーバブルメディアとなる。これらは、メディアなのか機器なのか区別の難しい融合商品である。
【０１１２】
これらの融合商品を含めた記録装置を、本発明における記録装置として用いることが可能である。
【０１１３】
さらに、図１４に示すように、ＨＤＤ記録装置３を本発明の記録装置として用い、無線又は有線にて、情報処理装置であるテレビジョン受像機２やオーディオ記録装置４と通信を行うようにした、嗜好情報処理システム５００も本発明の具体例となる。この場合、テレビジョン受像機２は、図１５に示すように、ユーザ操作マネージャ３１は、ＥＰＧマネージャ３２、予約マネージャ３３、統括制御部３４とを備える。
【０１１４】
また、ＨＤＤ記録装置３は、嗜好情報制御部８と、嗜好情報データベース９とを有する。この嗜好情報処理システム５００にあって、ホスト機器（情報処理装置）であるテレビジョン受像機２及びオーディオ記録装置４と、記録装置であるＨＤＤ記録装置３とは、所定の通信プロトコルに従い、有線又は無線通信が行われる。
【図面の簡単な説明】
【０１１５】
【図１】嗜好情報処理システムの説明図である。
【図２】他の嗜好情報処理システムの説明図である。
【図３】ＨＤＤ記録装置の内部構成を機能的に示した図である。
【図４】データベースのフォーマットを説明するための図である。
【図５】媒体別データベースフォーマットに従った媒体別嗜好情報のデータ構造を示す図である。
【図６】各情報処理装置とリムーバブルメディアとの間に流れる３種類のデータパケットについて示す図である。
【図７】メッセージプロトコルのうちの、問い合わせ（インクワイリ）パケットのフォーマット図である。
【図８】メッセージプロトコルのうちの、回答（Answer）パケットのフォーマット図である。
【図９】メッセージプロトコルのうちの、スタディインフォ（Study info）パケットのフォーマット図である。
【図１０】媒体別嗜好値の変更方法を説明するための図である。
【図１１】ベーシック嗜好値の変更方法を説明するための図である。
【図１２】ＨＤＤ記録装置のハードウェア構成図である。
【図１３】リムーバブルメディアの具体例の構成図である。
【図１４】他の嗜好情報処理システムの説明図である。
【図１５】図１４に示した他の嗜好情報処理システムのブロック図である。
【図１６】従来の情報処理装置の機能ブロック図である。
【図１７】従来の嗜好情報処理システムの機能ブロック図である。
【図１８】従来の嗜好情報処理システムの機能ブロック図である。
【符号の説明】
【０１１６】
１  嗜好情報処理システム、３  ＨＤＤ記録装置、４  オーディオ記録装置、５  パーソナルコンピュータ、６  携帯電話、７  リムーバブルメディア、８  嗜好情報制御部、９  嗜好情報データベース、３１，４１，５１，６１  ユーザ操作マネージャ、３２  ＥＰＧマネージャ、３３  予約マネージャ、３４  統括制御部
【図１】
2007094738.tif 000003
【図２】
2007094738.tif 000004
【図３】
2007094738.tif 000005
【図４】
2007094738.tif 000006
【図５】
2007094738.tif 000007
【図６】
2007094738.tif 000008
【図７】
2007094738.tif 000009
【図８】
2007094738.tif 000010
【図９】
2007094738.tif 000011
【図１０】
2007094738.tif 000012
【図１１】
2007094738.tif 000013
【図１２】
2007094738.tif 000014
【図１３】
2007094738.tif 000015
【図１４】
2007094738.tif 000016
【図１５】
2007094738.tif 000017
【図１６】
2007094738.tif 000018
【図１７】
2007094738.tif 000019
【図１８】
2007094738.tif 000020